(57)【特許請求の範囲】
【請求項１】
橋梁床板に埋設される排水装置であって、
底板を有し、上端が開放した本体と、
前記本体内に下から順に収容される第１スペーサ、貫通孔付きの第１目皿、第２スペーサ、および貫通孔付きの第２目皿と、
前記本体の下部に前記第１スペーサと流体連通するように接続される排水管と、
を備えていることを特徴とする装置。
【請求項２】
前記本体に、排水装置を橋梁内の所望箇所に取り付けるための一対の取付部が設けられ、前記取付部が、ほぼ水平方向外方に延び、貫通孔が設けられた板状の形態を有していることを特徴とする請求項１に記載された装置。
【請求項３】
前記排水管が、金属製の外管と、前記外管の内面と所定間隔を隔てて配置されたゴム製の内管とからなる二重管構造を有することを特徴とする請求項１又は２に記載された装置。
【請求項４】
前記請求項２に記載された排水装置を使用した橋梁床板新設又は改修工法であって、
前記排水装置を設置しようとする橋梁内の箇所の鉄筋又は施工アンカーに一対の雄ねじ付き丸棒を固定する段階と、
前記雄ねじ付き丸棒に、前記排水装置の前記取付部の前記貫通孔を通し、ナットを用いて前記排水装置を所望の高さに固定する段階とを含み、
前記排水装置に前記排水管を取り付け、前記排水管の先端を伸縮装置の遊間に通して所望の箇所に延ばし、アスファルト層からの集水管の端部を前記第２目皿に接続することにより、前記アスファルト層からの排水を前記排水装置に導き、前記排水管から前記所望の箇所に排水させるように構成されていることを特徴とする改修工法。
【発明の詳細な説明】
【技術分野】
【０００１】
本発明は、橋梁床板（特に、橋梁の伸縮継手の位置する箇所）に埋設される排水装置、および該装置を使用した橋梁床板新設又は改修工法に関する。
【背景技術】
【０００２】
橋梁は、鉄筋コンクリート製の床板と、床板の上面に設置されるアスファルト製の舗装層とを有している。橋梁においては、雨水を適切に処理して車両の円滑な走行を維持するため、排水処理システムの設置が必要不可欠なものとなっている。従来の典型的な排水処理システムは、図７に示されるように、コンクリート床板に水抜き孔を設置し、アスファルト層に浸透した雨水を水抜き孔に導き、所望の箇所に排水するように構成されていた。
【発明の概要】
【発明が解決しようとする課題】
【０００３】
しかしながら、図７に示されるような従来の排水処理システムでは、コンクリートを穿孔する必要があるが、鉄筋が邪魔になって所望の箇所に水抜き孔を配置するのが容易ではないという不都合があった。とりわけ、橋梁の伸縮継手が配置されている箇所の周辺には鉄筋が密集しているため、伸縮継手を交換する改修工事においては、穿孔によって鉄筋を傷つけるおそれがあり、改修工事を円滑に実施するのに大きな障害となっていた。
【０００４】
本発明は、このような状況に鑑みて開発されたものであって、円滑な排水システムの設置を可能とする橋梁床板埋設式排水装置および該装置を使用した橋梁床板新設又は改修工法を提供することを目的としている。
【課題を解決するための手段】
【０００５】
本願請求項１に記載された橋梁床板埋設式排水装置は、底板を有し、上端が開放した本体と、前記本体内に下から順に収容される第１スペーサ、貫通孔付きの第１目皿、第２スペーサ、および貫通孔付きの第２目皿と、前記本体の下部に前記第１スペーサと流体連通するように接続される排水管とを備えていることを特徴とするものである。
【０００６】
本願請求項２に記載された橋梁床板埋設式排水装置は、前記請求項１の装置において、前記本体に、排水装置を橋梁内の所望箇所に取り付けるための一対の取付部が設けられ、前記取付部が、ほぼ水平方向外方に延び、貫通孔が設けられた板状の形態を有していることを特徴とするものである。
【０００７】
本願請求項３に記載された橋梁床板埋設式排水装置は、前記請求項１又は２の装置において、前記排水管が、金属製の外管と、前記外管の内面と所定間隔を隔てて配置されたゴム製の内管とからなる二重管構造を有することを特徴とするものである。
【０００８】
本願請求項４に記載された、前記請求項２に記載された排水装置を使用した橋梁床板新設又は改修工法は、前記排水装置を設置しようとする橋梁内の箇所の鉄筋又は施工アンカーに一対の雄ねじ付き丸棒を固定する段階と、前記雄ねじ付き丸棒に、前記排水装置の前記取付部の前記貫通孔を通し、ナットを用いて前記排水装置を所望の高さに固定する段階とを含み、前記排水装置に前記排水管を取り付け、前記排水管の先端を所望の箇所に延ばし、アスファルト層からの集水管の端部を前記第２目皿に接続することにより、前記アスファルト層からの排水を前記排水装置に導き、前記排水管から前記所望の箇所に排水させるように構成されていることを特徴とするものである。
【発明の効果】
【０００９】
本発明によれば、橋梁内の所望箇所に本体を配置することにより本体が型枠の役目を果たすため、鉄筋を傷つけるおそれがなく、排水システムを円滑に設置することが可能になる。また、排水管を二重管構造にすることにより、冬期間の水の凍結による排水管（従って、コンクリート）の損傷を防止することができる。さらに、本発明の方法では、排水管を伸縮装置の遊間に通せばよく、コンクリートを穿孔して排水管を設置する必要がないので、工事の簡略化を図ることができる。
【図面の簡単な説明】
【００１０】
【図１】図１（ａ）は、本発明の好ましい実施の形態に係る排水装置を一方向から見た斜視図、図１（ｂ）は、図１の排水装置を別の方向から見た斜視図である。
【図２】図１の排水装置の分解斜視図である。
【図３】本発明の別の好ましい実施の形態に係る排水装置の分解斜視図である。
【図４】図４（ａ）は、図１の排水装置に取り付けられる排水管の部分切り取り図、図４（ｂ）は、図４（ａ）の線４ｂ−４ｂに沿って見た断面図、図４（ｃ）は、４（ａ）の排水管の排水装置への取り付け箇所を示した図である。
【図５】図１の排水装置を橋梁床板の所望箇所に取り付ける態様を示した図である。
【図６】伸縮継手に排水装置を設置した状態を示した模式図である。
【図７】従来の典型的な排水処理システムを示した図である。
【発明を実施するための形態】
【００１１】
次に図面を参照して、本発明の好ましい実施の形態に係る橋梁床板埋設式排水装置（以下、単に「排水装置」という）について詳細に説明する。図１（ａ）は、本発明の好ましい実施の形態に係る排水装置を一方向から見た斜視図、図１（ｂ）は、本発明の好ましい実施の形態に係る排水装置を別の方向から見た斜視図、図２は、本発明の好ましい実施の形態に係る排水装置の分解斜視図である。図１（ａ）および図１（ｂ）において全体として参照符号１０で示される排水装置は、本体１２を備えている。
【００１２】
本体１２は、矩形の底板１２ａと、対向した一対の第１側板１２ｂ、１２ｃと、第１側板１２ｂ、１２ｃと直交するように配置され、高さが第１側板１２ｂ、１２ｃと同じ第２側板１２ｄと、第１側板１２ｂ、１２ｃと直交するように第２側板１２ｄと対向して配置され、高さＨ（図２参照）が第１側板１２ｂ、１２ｃより低い（典型的には、第１側板１２ｂ、１２ｃ、第２側板１２ｄの半分程度の高さの）第３側板１２ｅとを有している。
【００１３】
第２側板１２ｄの下部には、詳細には後述する排水管２２を取り付けるための円筒形の吐出口１２ｆが設けられており、吐出口１２ｆの先端側には、雌ねじ１２ｆ１が設けられている。好ましくは、第１側板１２ｂ、１２ｃの各々には、ほぼ水平方向外方に延び、排水装置１０を所望の箇所に設置する際に用いられる取付部１２ｇが配置されている。取付部１２ｇは、図２等に示されるように、板状の形態を有し、中央に貫通孔１２ｇ１が設けられている。なお、排水装置１０の上述の各構成要素は、ステンレス鋼などの適当な材料で形成されている。
【００１４】
排水装置１０はまた、本体１２の内部に収容される第１スペーサ１４と、第１スペーサ１４の上方に配置される第１目皿１６と、第１目皿１６の上方に配置され、本体１２の内部に収容される第２スペーサ１８と、第２スペーサ１８の上方に配置される第２目皿２０とを備えている。
【００１５】
第１スペーサ１４、第１目皿１６、第２スペーサ１８、および第２目皿２０は、本体１２の内部に収容されるような平面形状および寸法を有している。また、第１スペーサ１４の厚みと第１目皿１６の厚みを足した高さは、図２に示されるように、第３側板１２ｅの高さＨよりも僅かに低くなるように形成されている。これにより、第１スペーサ１４および第１目皿１６は、第１側板１２ｂ、１２ｃ、第２側板１２ｄおよび第３側板１２ｅ内に収容されることとなる。第１スペーサ１４および第２スペーサ１８は、適当な透水性材料（例えば、ステンレスウール材）で形成されている。
【００１６】
第１目皿１６には、複数の貫通孔１６ａが形成されている。第２目皿２０は、矩形の頂板２０ａと、頂板２０ａから下方に延びるように配置された対向した一対の第１側板２０ｂ、２０ｃと、第１側板２０ｂ、２０ｃと直交するように配置され、高さが第１側板２０ｂ、２０ｃと同じ第２側板２０ｄと、第１側板２０ｂ、２０ｃと直交するように第２側板２０ｄと対向して配置された第３側板２０ｅとを有しており、第３側板２０ｅには、アスファルト層からの排水を集水管を介して排水装置１０内に導くための切欠き２０ｅ１が設けられている。第２目皿２０は、本体１２の頂部に被せられ、蓋としての役目も果たす。なお、第１目皿１６および第２目皿２０は、ステンレス鋼などの適当な材料で形成されている。
【００１７】
排水装置１０はさらに、排水装置１０から所望の箇所に排水を導くための排水管２２を備えている。排水管２２は、一端が本体１２の吐出口１２ｆにナット等の適当な締結具によって連結されている。
【００１８】
好ましくは、排水管２２は、金属（例えば、ステンレス鋼）製の外管２２ａと、外管２２ａの内面と所定間隔ｄを隔てて配置されたゴム製の内管２２ｂとからなる二重管構造を有している。寒冷地では排水管内に溜まった水が冬期に凍結して膨張し、排水管を破壊してコンクリート構造を傷つけることがあるが、上述のような二重管構造を採用することにより、内管２２ｂ内に溜まった水が凍結したとしても、外管２２ａと内管２２ｂとの間に隙間があるため、外管２２ａを破壊してコンクリート構造を傷つけることがなくなる。なお、外管２２ａは、所望の箇所に導き易くするため、フレキシブル管を使用するのが好ましい。
【００１９】
次に図５および図６を参照して、以上のように構成された排水装置１０を使用した橋梁床板改修工法について説明する。まず、排水装置１０を設置しようとする橋梁内の箇所の鉄筋に一対の雄ねじ付き丸棒を溶接等で固定する（図５（ａ）参照）。次いで、雄ねじ付き丸棒に、排水装置１０の取付部１２ｇの貫通孔１２ｇ１を通し、ナットを用いて排水装置１０を所望の高さに固定する（図５（ｂ）参照）。その際、排水装置１０に排水管２２を取り付け、排水管２２の先端を橋梁伸縮装置（図示せず）の遊間に通して所望の箇所に延ばすとともに、アスファルト層からの集水管の端部を第２の目皿２０ｅの切欠き２０ｅ１に嵌め込む。このようにすることにより、鉄筋を傷つけることなしに、アスファルト層からの排水を所望の箇所に導いて処理することができる。図６は、伸縮継手に排水装置１０を設置した状態を示した模式図である。なお、図２において、白抜き矢印で排水経路が示されている。
【００２０】
なお、上記例では、鉄筋に一対の雄ねじ付き丸棒が固定されているが、コンクリート部分に固定された施工アンカー（図示せず）に、一対の雄ねじ付き丸棒を固定してもよい。また、上記例では、専ら橋梁床板の改修工事に関連して記載されているが、本方法を橋梁の新設工事に適用してもよい。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
たとえば、前記実施の形態では、本体１２が立方体又は直方体の箱型形状を有しているが、図３に示されるように、本体を円筒形の形状に形作ってもよい。すなわち、図３に示される排水装置は、底板１２′ａをもつ円筒形の本体１２′と、本体１２′の内部に収容される第１スペーサ１４′と、第１スペーサ１４′の上方に配置される第１目皿１６′と、第１目皿１６′の上方に配置され、本体１２′の内部に収容される第２スペーサ１８′と、第２スペーサ１８′の上方に配置される第２目皿２０′とを備えており、第１目皿１６′、第２目皿２０′にはそれぞれ、複数の貫通孔１６′ａ、２０′ａが設けられている。また、本体２０′には、排水管２２を取り付けるための円筒形の吐出口１２′ｆ、および排水装置１０を所望の箇所に設置する際に用いられる取付部１２′ｇが設けられている。なお、本体を多角柱の形状に形作ってもよい。
【符号の説明】
【００２３】
１０  橋梁床板埋設式排水装置
１２、１２′  本体
１２ａ  底板
１２ｂ、１２ｃ  第１側板
１２ｄ  第２側板
１２ｅ  第３側板
１２ｆ、１２′ｆ  吐出口
１２ｇ、１２′ｇ  取付部
１２ｇ１、１２′ｇ１  貫通孔
１４、１４′  第１スペーサ
１６、１６′  第１目皿
１８、１８′  第２スペーサ
２０、２０′  第２目皿
２２  排水管
２２ａ  外管
２２ｂ  内管
【要約】
【課題】  円滑な排水システムの設置を可能とする橋梁床板埋設式排水装置を提供することである。
【解決手段】  橋梁床板に埋設される排水装置（１０）は、底板を有し、上端が開放した本体（１２）と、本体内に下から順に収容される第１スペーサ（１４）、貫通孔付きの第１目皿（１６）、第２スペーサ（１８）、および貫通孔付きの第２目皿（２０）と、本体の下部に第１スペーサと流体連通するように接続される排水管（２２）とを備えていることを特徴とする。
【選択図】  図１【図１】
0005522702.tif 000002
【図２】
0005522702.tif 000003
【図３】
0005522702.tif 000004
【図４】
0005522702.tif 000005
【図５】
0005522702.tif 000006
【図６】
0005522702.tif 000007
【図７】
0005522702.tif 000008